(57)【要約】【課題】ユーザの意思によって可変とすることでホルダーの開閉速度を簡便に調節することができる開閉速度可変機能を備えたオートホルダー型携帯電話機を提供する。【解決手段】バッテリーから供給されるバッテリー電源の入力を受ける任意の抵抗値の固定抵抗と、固定抵抗と連結する場合、バッテリー電源を分圧するために具備される複数の分圧用抵抗と、スライディング動作して前記分圧用抵抗の各々に対して個別的に前記固定抵抗と直列連結されるようにするスライディングスイッチと、作動信号によって前記スライディングスイッチに基づいて変化するバッテリー電源の分圧電圧がモータに印加される方向を変動させてヒンジ部を基準にホルダー部が開いたり閉じたりするようにするモータ駆動部とを含んで構成される。【選択図】　図５
2004088990.tif 000002
【特許請求の範囲】
【請求項１】
相互に一定間隔をおいて配置され、対向する方向に開放された一対の軸支持部が一側に形成された本体と、
前記一対の軸支持部間に位置され、両側部が開放された円筒形のハウジングを有するホルダーと、
ホルダーが開放されるようにする位置とホルダーが閉められるようにする位置を調整する第１カプラー及び第２カプラーと、
前記第１カプラー及び第２カプラーが密着するように弾性力を提供する弾性部材と、
バッテリーから供給されるバッテリー電源の入力を受ける任意の抵抗値の固定抵抗と、
前記固定抵抗と連結する場合、前記バッテリー電源を分圧するために具備される複数の分圧用抵抗と、
スライディング動作して前記分圧用抵抗の各々に対して個別的に前記固定抵抗と直列連結されるようにするスライディングスイッチと、
作動信号によって前記スライディングスイッチに基づいて変化するバッテリー電源の分圧電圧がモータに印加される方向を変動させてヒンジ部を基準にホルダー部が開いたり閉じたりするようにするモータ駆動部と、
を含んで構成されることを特徴とする開閉速度可変機能を備えたオートホルダー型携帯電話機。
【請求項２】
第１項において、
前記複数の分圧用抵抗はホルダー開閉速度を低速に維持するための第１抵抗と、
ホルダー開閉速度を高速に維持するための第２抵抗と、
正常速度を維持するための第３抵抗と、
から構成されることを特徴とする、開閉速度可変機能を備えたオートホルダー型携帯電話機。
【請求項３】
第１項において、
前記複数の分圧用抵抗は、ホルダー開閉速度を低速に維持するために、前記固定抵抗の抵抗値に対して２７／２０の値を有する第１抵抗を具備することを特徴とする、開閉速度可変機能を備えたオートホルダー型携帯電話機。
【請求項４】
第１項において、
前記複数の分圧用抵抗は、ホルダー開閉速度を高速に維持するために、前記固定抵抗の抵抗値に対して３３／２０の値を有する第２抵抗を具備することを特徴とする、開閉速度可変機能を備えたオートホルダー型携帯電話機。
【発明の詳細な説明】
【０００１】
【発明の属する技術分野】
本発明は、自動でホルダーを開閉させることができるオートホルダー型携帯電話機に関し、特に、従来のオートホルダーの開閉速度は駆動電圧の電圧が一定に決められているために、ユーザが開閉速度を速く、或いはゆっくりとなるように変動させることを希望しても実現できなかったが、供給される駆動電圧の変動をユーザの意思によって可変とすることでホルダーの開閉速度を簡便に調節することができる開閉速度可変機能を備えたオートホルダー型携帯電話機に関する。
【０００２】
【従来の技術】
一般的に、携帯電話機（Ｍｏｂｉｌｅ　Ｐｈｏｎｅ又はＣｅｌｌｕｌａｒ　Ｐｈｏｎｅ）は地域的に固定された加入者回線の一部を無線化してサービス領域内の一定半径内で使用可能となる移動通信サービスの提供を受ける端末機である。既存の通信サービスが電話線番号による固定された場所で使われる通信である反面、携帯電話機は線に関係なくロジカル（Ｌｏｇｉｃａｌ）個人番号によって場所に制限なく通話が可能である。
【０００３】
こうした携帯電話機は、携帯が簡便で使用上の便利さ故にその需要が爆発的に増加しており、ユーザの多様な欲求を満足するために小型化及び多機能化されていく傾向にある。
【０００４】
通常、携帯電話機は、その形状によって数字（機能）ボタンが外部に露出する状態にあるバー（Ｂａｒ）タイプと、数字（機能）ボタンを覆って遮蔽可能なカバーを備えるフリップ（Ｆｌｉｐ）タイプと、本体が半分に折り畳まれるホルダータイプなどに分類され、小型化の傾向に伴ってホルダータイプの携帯電話機の普及が増加している。
【０００５】
しかし、一般的なホルダー型携帯電話機は、ホルダーの重さが比較的重いため、ホルダーを開閉するためには一方の手で本体をつかんだ状態から他方の手でホルダーを開放させなければならないという不便さがあった。
【０００６】
こうした問題点を改善するために、より容易にホルダーを開閉させることができるようにする携帯電話機が提案されたのだが、この代表的なものが駆動装置を使用するオートホルダー型携帯電話機である。
【０００７】
図１は、オートホルダー型携帯電話機を示す斜視図であり、携帯電話機２０１は、大きく本体２０２とホルダー２０３とから構成され、前記本体２０２は、通常、数字（機能）ボタン２０４とマイク２０５とを含んで構成され、内部に送受話のための各種構成部品が内蔵され、一側に電源供給のためのバッテリーパック２０６が装着されている。
【０００８】
そして、前記ホルダー２０３は、各種通話情報及び機能情報を表示する表示窓２０７と、スピーカー２０８などを含んで構成され、この他にも各種構成部品が内蔵されている。
【０００９】
このようなホルダー型携帯電話機２０１は、前記ホルダー２０３が本体２０２に対して一端のヒンジ手段によって支持されており、前記ヒンジ手段を中心に正方向又は逆方向に回動することによって開閉をなすのである。このとき、本体外側面に信号印加部２０９として、自動開閉のためのスイッチを具備する。
【００１０】
図２に図示されたような信号印加部２０９を操作して一方の手でホルダーの開閉をしようとするとき、最も考慮されなければならない事項は、自動モードではもちろんであり、予期しない状態が発生した場合に手動モードでも開閉が可能なように設計されるべきであるということである。
【００１１】
したがって、図３は、前記従来のオートホルダー型携帯電話機の本体及びホルダーを連結して、また、前記信号印加部による信号によって前記ホルダーの自動開閉のための動力発生手段及び動力伝達手段を内部に含む回動部２１１及び本体の一側に形成された固定部２１０の結合を示す断面図である。
【００１２】
図４は回動部２１１及び固定部２１０を示す断面図であり、本体両側に形成された固定部２１０と前記固定部の間のモジュールハウジング形態で設置される回動部２１１とを示しており、前記回動部２１１内にホルダーの自動開閉のための駆動装置が構成された携帯電話機の要部を示している。
【００１３】
図４に示されたような従来のオートホルダー型携帯電話機は、本体の一側に形成された固定部２１０と、前記固定部に回動が可能に支持されるホルダー２０３の一側に連なって形成された回動部２１１と、前記回動部内に固定されて駆動力を発生させる動力発生手段としてユーザの操作力を受ける信号印加部に連動して作動されるモータ２１２と、前記モータ２１２の出力端に連結して回転比を減速させると同時に逆転防止をする減速ギア体２１３と、前記減速ギア体に連結して回転可能な第１カプラー２１５と、前記固定部にスライド可能に設置される第２カプラー２１６と、前記回動部内に装着されて弾性力を作用する弾性手段２１７とを含み、前記第１カプラー２１５の一側端部と前記第２カプラー２１６の一側端部とが互いに選択的に噛み合うようになる。
【００１４】
このようなオートホルダー型携帯電話機は、自動モードでホルダー２０３を開放させるために信号印加部２０９を操作すれば、第１カプラー２１５と第２カプラー２１６とを固定点としてホルダーが一定時間の間、回転した後、停止して開放される。また、これと反対にホルダー２０３を閉じるために信号印加部２０９を再操作すると、反対方向に一定時間の間、モータを駆動してホルダーを閉じるようにする構造である。手動モードで使われる場合は、第１カプラー２１５と第２カプラー２１６との間にスリップが生じながら、ホルダーが一定位置に到達すると、弾性力によって開いたり閉じたりされる構造である。
【００１５】
【発明が解決しようとする課題】
上述した従来のオートホルダーの開閉速度は、駆動電圧の電圧が一定に決められているため、ユーザが開閉速度を速く或いはゆっくりとなるように変動できるように希望する場合、その希望をかなえることができない。したがって、ユーザの満足を得られないという問題点があった。
【００１６】
上記の問題点を解決するために、本発明の目的は、自動でホルダーを開閉させることができるオートホルダー型携帯電話機において、従来のオートホルダーの開閉速度は駆動電圧の電圧が一定に決められているためにユーザが開閉速度を速く、或いはゆっくりとなるように変動することを希望しても実現できなかったが、供給される駆動電圧の変動をユーザの意思によって可変とすることでホルダーの開閉速度を簡便に調節することができる開閉速度可変機能を備えたオートホルダー型携帯電話機を提供することにある。
【００１７】
【課題を解決するための手段】
上記目的を達成するために、本発明に係る開閉速度可変機能を備えたオートホルダー型携帯電話機は、相互に一定間隔をおいて配置され、対向する方向に開放された一対の軸支持部が一側に形成された本体と、前記一対の軸支持部間に位置され、両側部が開放された円筒形のハウジングを有するホルダーと、ホルダーが開放されるようにする位置とホルダーが閉められるようにする位置を調整する第１カプラー及び第２カプラーと、前記第１カプラー及び第２カプラーが密着するように弾性力を提供する弾性部材と、バッテリーから供給されるバッテリー電源の入力を受ける任意の抵抗値の固定抵抗と、前記固定抵抗と連結する場合、前記バッテリー電源を分圧するために具備される複数の分圧用抵抗と、スライディング動作して前記分圧用抵抗の各々に対して個別的に前記固定抵抗と直列連結されるようにするスライディングスイッチと、作動信号によって前記スライディングスイッチに基づいて変化するバッテリー電源の分圧電圧がモータに印加される方向を変動させてヒンジ部を基準にホルダー部が開いたり閉じたりするようにするモータ駆動部とを含んで構成されることを特徴とする。
【００１８】
上記目的を達成するために、本発明に係る開閉速度可変機能を備えたオートホルダー型携帯電話機の付加的な特徴は、前記複数の分圧用抵抗はホルダー開閉速度を低速に維持するための第１抵抗と、ホルダー開閉速度を高速に維持するための第２抵抗と、正常速度を維持するための第３抵抗とから構成されることにある。
【００１９】
上記目的を達成するために本発明の開閉速度可変機能を備えたオートホルダー型携帯電話機の付加的な他の特徴は、前記複数の分圧用抵抗は、ホルダー開閉速度を低速に維持するために、前記固定抵抗の抵抗値に対して２７／２０の値を有する第１抵抗を具備することにある。
【００２０】
上記目的を達成するために、本発明に係る開閉速度可変機能を備えたオートホルダー型携帯電話機の付加的なもう１つの特徴は、前記複数の分圧用抵抗は、ホルダー開閉速度を高速に維持するために、前記固定抵抗の抵抗値に対して３３／２０の値を有する第２抵抗を具備することにある。
【００２１】
【発明の実施の形態】
本発明の上述した目的と様々な長所は、当業者によって添付図面を参照して後述される本発明の望ましい実施形態によって、より一層明確になるのである。
【００２２】
まず、本発明は、直流（ＤＣ）モータの特性の上、印加電圧が大きければ回転トルクが増加するに従って加速される点に着眼したものである。図５を参照して、本発明に係るオートホルダー型携帯電話機でのモータ駆動方式と構成を簡略的に説明する。
【００２３】
図５における携帯電話は、オートホルダー用モータＭを正回転或いは逆回転するとき、円滑な動作を行うことができるようにするための回路を示したもので、ＤＣモータＭの駆動のための駆動回路Ａ（ＤＣ＿Ａ）と駆動回路Ｂ（ＤＣ＿Ｂ）の動作如何によってＤＣモータが正回転又は逆回転を行うようになる。
【００２４】
すなわち、駆動回路Ａ（ＤＣ＿Ａ）と駆動回路Ｂ（ＤＣ＿Ｂ）の動作によってトランジスターＱ１及びトランジスターＱ３がオン動作し、トランジスターＱ２及びトランジスターＱ４がオフ動作すれば、前記モータＭは正回転するようになる。これと反対に、トランジスターＱ１及びトランジスターＱ３がオフ動作してトランジスターＱ２及びトランジスターＱ４がオン動作すると、前記モータＭは逆回転するようになる。
【００２５】
このとき、モータＭの駆動電圧はＶｃｃと表記される電圧であるが、この電圧は＋Ｂと指摘される通常の５Ｖのバッテリー電圧を分圧して使用するようになり、バッテリー電圧＋Ｂの分圧のために固定抵抗Ｒ１と、通常、モータ駆動ＩＣの外部に具備される可変抵抗ＶＲにより分圧されて正常な動作モードでは約３Ｖの電圧を有するようになる。
【００２６】
前記バッテリー電圧を分圧する固定抵抗Ｒ１と可変抵抗ＶＲを利用して分圧するが、ユーザの必要に応じて、前記可変抵抗ＶＲの抵抗値を変動することによってホルダーの開閉速度を可変できるようにする。
【００２７】
図６は、実際に適用される本発明の最も望ましい回路構成の一例であり、図５での可変抵抗ＶＲを具現した方式は、スライディングスイッチＳＳＷを利用して複数の抵抗Ｒａ乃至抵抗Ｒｃのうち、どちらか１つを選択するのである。
【００２８】
例えば、前記参照符号Ｒａとして述べた抵抗の抵抗値が最も大きく、参照符号Ｒｃとして述べた抵抗の値が最も小さいと仮定すると、ユーザはスライディングスイッチＳＳＷに具備されているスイッチＳＷを中央の位置に置いた場合、すなわち、バッテリー電圧を分圧する抵抗として、参照符号Ｒ１として述べる抵抗と参照符号Ｒｂとして述べる抵抗を連結した場合、Ｖｃｃ電圧が従来の電圧と同一であると仮定する。
【００２９】
すなわち、標準状態でＶｃｃ電圧の大きさは、Ｒｂ＝３／２・Ｒ１の抵抗値を有することによって３．０Ｖになる。
【００３０】
このとき、ユーザがスライディングスイッチＳＳＷに具備されているスイッチＳＷをスライディングさせ、バッテリー電圧を分圧する抵抗として参照符号Ｒ１として称される抵抗と参照符号Ｒｃとして称される抵抗を連結した場合、Ｖｃｃ電圧が３．０Ｖより小さな任意の値（Ｒｃの抵抗値によって設定：例えば、Ｒｃ＝２７／２０・Ｒ１である場合、２．７Ｖである）になったと仮定すると、開閉速度は遅くなるのである。
【００３１】
反面、ユーザがスライディングスイッチＳＳＷに具備されているスイッチＳＷをスライディングさせ、バッテリー電圧を分圧する抵抗として参照符号Ｒ１と称される抵抗と参照符号Ｒａとして称される抵抗をと連結した場合、Ｖｃｃ電圧が３．０Ｖより大きい任意の値（Ｒａの抵抗値によって設定：例えば、Ｒａ＝３３／２０・Ｒ１である場合、３．３Ｖである）になると仮定すると、開閉速度は速くなるのである。
【００３２】
前記スライディングスイッチＳＳＷに具備されているスイッチＳＷが移動する場合、実際にモータＭで発生するトルクの変位量を上述した例示電圧を基準にみると、図７に示すとおり測定される。
【００３３】
図７に示した測定値をグラフに表示すると、図８及び図９に示されているようになるが、図８はΦ８モジュールの場合を示しており、図９はΦ９モジュールの場合を示している。
【００３４】
以上のとおり、本発明は特定の実施形態と関連して図示及び説明を行ったが、特許請求の範囲によって示された発明の思想及び範囲から逸脱しない限度内で多様な変更が可能であることを、当業者ならば容易に理解することができる。
【００３５】
【発明の効果】
本発明の開閉速度可変機能を備えたオートホルダー型携帯電話機は、ユーザが既に設定されたホルダーの開閉速度のうち、自分が望む開閉速度に調節してホルダーを開閉させることができ、ユーザの欲求を満足させることができるという効果を奏する。
【図面の簡単な説明】
【図１】従来のオートホルダー型携帯電話機を示す斜視図である。
【図２】従来のオートホルダー型携帯電話機の回動部及び固定部の斜視図である。
【図３】従来のオートホルダー型携帯電話機の回動部及び固定部の断面図である。
【図４】従来のオートホルダー型携帯電話機の回動部及び固定部の断面図である。
【図５】本発明の技術的思想を説明するための例示図である。
【図６】本発明に係るオートホルダー型携帯電話機でのモータ駆動電圧変動回路の例示図である。
【図７】実測定の結果を示す例示図である。
【図８】図７に従う測定グラフの例示図である。
【図９】図７に従う測定グラフの例示図である。
【符号の説明】
２０２　本体
２０３　ホルダー
２１５　第１カプラー
２１６　第２カプラー
２１７　弾性部材
Ｒ１　固定抵抗
ＶＲ　可変抵抗
Ｒａ〜Ｒｃ　分圧用抵抗
ＳＳＷ　スライディングスイッチ
Ｍ　ＤＣモータ
【図１】
2004088990.tif 000003
【図２】
2004088990.tif 000004
【図３】
2004088990.tif 000005
【図４】
2004088990.tif 000006
【図５】
2004088990.tif 000007
【図６】
2004088990.tif 000008
【図７】
2004088990.tif 000009
【図８】
2004088990.tif 000010
【図９】
2004088990.tif 000011